(57)【要約】【課題】  閉弁応答性を高めることができる燃料噴射弁を提供すること。【解決手段】  可動コアの固定コアと対向する面から奥に向かうに連れて断面積が小さくなるように形成された凹部である受け部を設けた。【選択図】  図3
2015063902.tif 000002
【特許請求の範囲】
【請求項１】
外周側にコイルが設けられた固定コアと、
前記コイルへの通電により前記固定コア側に吸引される可動コアと、
前記可動コアの先端に固定され、前記可動コアが前記固定コア側に吸引されたときに、弁座から離れ開弁する弁体と、
前記可動コアを閉弁方向に付勢する付勢部材と、
前記可動コアの前記固定コアと対向する面から奥に向かうに連れて断面積が小さくなるように形成された凹部である受け部と、
を設けたことを特徴とする燃料噴射弁。
【請求項２】
請求項1に記載された燃料噴射弁において、
前記可動コアの外周に、前記固定コアと対向する面から軸方向に延びる溝部を形成したことを特徴とする燃料噴射弁。
【発明の詳細な説明】
【技術分野】
【０００１】
本発明は、燃料噴射弁に関する。
【背景技術】
【０００２】
この種の技術としては、下記の特許文献1に記載の技術が開示されている。特許文献1には、コイルへの非通電時には第1スプリングによりニードルおよび可動コアが閉弁向きに移動し、コイルへの通電時には固定コアと可動コアとの間の磁気吸引力によってニードルおよび可動コアが開弁向きに移動するものが開示されている。
【先行技術文献】
【特許文献】
【０００３】
【特許文献１】特開2009-243466号公報
【発明の概要】
【発明が解決しようとする課題】
【０００４】
特許文献1に記載の技術では、コイルへ通電から非通電となったときであっても、固定コアと可動コアとの間に吸着力が発生してしまい、閉弁応答性が悪化するおそれがあった。
本発明は、上記問題に着目されたもので、その目的とするところは、閉弁応答性を高めることができる燃料噴射弁を提供することである。
【課題を解決するための手段】
【０００５】
上記目的を達成するため本発明では、可動コアの固定コアと対向する面から奥に向かうに連れて断面積が小さくなるように形成された凹部である受け部を設けた。
【発明の効果】
【０００６】
よって本発明では、閉弁応答性を高めることができる。
【図面の簡単な説明】
【０００７】
【図１】実施例1の燃料噴射弁の軸方向断面図である。
【図２】実施例1の燃料噴射弁のノズルプレート付近の拡大断面図である。
【図３】実施例1の可動コアを示す図である。
【図４】実施例1の可動コアの燃料の流れと燃料による可動コアへ作用する力を記載した図である。
【図５】他の実施例の可動コアを示す図である。
【発明を実施するための形態】
【０００８】
〔実施例1〕
実施例1の燃料噴射弁1について説明する。
［燃料噴射弁の構成］
図１は燃料噴射弁1の軸方向断面図である。図２は燃料噴射弁1のノズルプレート8付近の拡大断面図である。この燃料噴射弁1は、自動車用ガソリンエンジンに用いられるものであって、インテークマニホールド内に向けて燃料を噴射する、所謂低圧用の燃料噴射弁である。以下では、図１において燃料噴射弁1の紙面上方を一端、紙面下方を他端と記す。
燃料噴射弁1は、磁性筒体2と、磁性筒体2内に収容される固定コア3と、軸方向に摺動可能な弁体4と、弁体4と一体に形成された可動コア5と、閉弁時に弁体4により閉鎖される弁座6を有する弁座部材7と、開弁時に燃料が噴射される燃料噴射孔44を有するノズルプレート8と、通電時に可動コア5および弁体4を開弁方向に摺動させる電磁コイル9と、磁束線を誘導するヨーク10とを有している。
【０００９】
磁性筒体2は、例えば電磁ステンレス鋼等の磁性金属材料により形成された金属パイプ等からなり、深絞り等のプレス加工、研削加工等の手段を用いることにより、図１に示すように段付き筒状をなして一体に形成されている。磁性筒体2は、一端側に形成された大径部11と、大径部11よりも小径であって他端側に形成された小径部12とを有している。
小径部12には、一部を薄肉化した薄肉部13が形成されている。小径部12は、薄肉部13より一端側に固定コア3を収容するコア筒体収容部14と、薄肉部13より他端側に弁部材15（弁体4、可動コア5、弁座部材7）を収容する弁部材収容部16とに分けられている。薄肉部13は、後述する固定コア3と可動コア5が磁性筒体2に収容された状態で、固定コア3と可動コア5との間の隙間部分を取り囲むように形成されている。薄肉部13は、コア筒体収容部14と弁部材収容部16との間の磁気抵抗を増大させ、コア筒体収容部14と弁部材収容部16間を磁気的に遮断している。
【００１０】
大径部11の内径は弁部材15に燃料を送る燃料通路17を構成しており、大径部11の一端部には燃料を濾過する燃料フィルタ18が設けられている。燃料通路17にはポンプ47が接続されている。このポンプ47は、ポンプ制御装置54により制御されている。大径部11の一端部外周には、燃料を送るポンプの配管に接続するためのOリング39が設けられている。
固定コア3は中空部19を有する円筒形に形成されており、磁性筒体2のコア筒体収容部14に圧入されている。中空部19には、圧入等の手段により固定されたばね受部材20が収容されている。このばね受部材20の中心には軸方向に貫通した燃料通路43が形成されている。
可動コア5は大径部22と、外形が大径部22より小径に形成された小径部23とを有している。大径部22の一端側には、流体受部28とばね挿入孔24が穿設されている。
【００１１】
小径部23の先端には弁体4が溶接により一体に固定されている。なお図中の黒半円や黒三角は溶接箇所を示している。弁体4の外形は略球体状に形成されており、周上に燃料噴射弁1の軸方向に対して並行に削られた燃料通路面21を有している。
弁座部材7は、略円錐状の弁座6と、弁座6より一端側に弁体4の径とほぼ同型に形成された弁体保持孔30と、弁体保持孔30から一端開口側に向かうにつれて大径に形成された上流開口部31と、弁座6の他端側に開口する下流開口部48とが形成されている。弁座6は、断面形状が約角度45°となるように、弁体保持孔30から下流開口部48へ向かって径が小さくなるように形成され、閉弁時には弁体4が弁座6に座るようになっている。弁座部材7の他端側には、ノズルプレート8が溶接されている。
【００１２】
可動コア5および弁体4は、磁性筒体2に軸方向摺動可能に収装されている。可動コア5のばね受部26とばね受部材20との間にコイルバネ29が設けられ、可動コア5および弁体4を他端側に付勢している。すなわち、コイルバネ29は可動コア5および弁体4を閉弁方向に付勢している。弁座部材7は磁性筒体2に挿入され、溶接により磁性筒体2に固定されている。
磁性筒体2の固定コア3の外周には電磁コイル9が挿嵌されている。すなわち、電磁コイル9は固定コア3の外周に配置されることとなる。電磁コイル9は、樹脂材料により形成されたインシュレータに巻回されたコイル33から構成されている。コイル33は、コネクタピン34を介して電磁コイル制御装置55に接続されている。
【００１３】
ヨーク10は中空の貫通孔を有し、一端開口側に形成された大径部35と、大径部35より小径に形成された中径部36と、中径部36より小径に形成され他端開口側に形成された小径部37から構成されている。小径部37は、弁部材収容部16の外周に嵌合されている。中径部36の内周には電磁コイル9が収装されている。大径部35の内周には連結コア38が配置されている。
連結コア38は磁性金属材料等により略Ｃ字状に形成されている。連結コア38により大径部35と磁性筒体2とが接続している。つまり、ヨーク10は小径部37と大径部35において磁性筒体2と接続しており、電磁コイル9の両端部で磁性筒体2と磁気的に接続されていることとなる。ヨーク10の他端側先端には、燃料噴射弁1をエンジンの吸気ポートと接続するためのOリング40を保持し、かつ磁性筒体先端を保護するためのプロテクタ52が取り付けられている。
【００１４】
燃料噴射弁1の図１に示すように、大部分が樹脂カバー53により被覆されている。樹脂カバー53に被覆されている部分は、磁性筒体2の大径部11の一端部を除いた部分から小径部12の電磁コイル9設置位置まで、電磁コイル9とヨーク10の中径部36との間、連結コア38の外周と大径部35との間、大径部35の外周、中径部36の外周、およびコネクタピン34の外周である。コネクタピン34の先端部分は樹脂カバー53が開口して形成されており、コントロールユニットのコネクタが差し込まれるようになっている。
コネクタピン34を介して電磁コイル9に給電されると磁界が発生し、この磁界の磁力によって、弁体4および可動コア5をコイルばね29の付勢力に抗して開弁させる。これによりポンプから供給された燃料がインテークマニホールド内に噴射される。
コネクタピン34を介して電磁コイル9に給電されると磁界が発生し、この磁界の磁力によって、弁体4および可動コア5をコイルばね29の付勢力に抗して開弁させる。
電磁コイル制御装置55は、クランク角を検出するクランク角センサからの情報に基づいて計算した燃焼室側に燃料を噴射するタイミングに応じて、電磁コイル9のコイル33に通電して燃料噴射弁1を開弁させる。
【００１５】
［可動コアの構成］
図3は可動コア5を示す図である。図3(a)は可動コア5を軸方向一端側から見た図である。図3(b)は可動コア5の軸方向断面図である。
可動コア5の大径部22の一端側には流体受部28とばね挿入孔24が穿設されている。ばね挿入孔24の底部はばね受部26を構成している。ばね受部26の外周はばね挿入孔24の外周よりも小径に形成されており、ばね受部26の内周によってコイルばね14端部の径方向の移動が規制されている。
ばね受部26の一端側には、ばね受部26と連続して流体受部28が形成されている。流体受部28の断面積は、固定コア3と対向する面（一端側の面）から奥に向かうに連れて小さくなるように形成されており、その側面はテーパ状に形成されたテーパ部27を構成している。流体受部28のテーパ部27から開口部に向かって四角柱状の4本の当接部32が形成されている。可動コア5が固定コア3側に吸引されたときに、当接部32が固定コア3の他端側端面と当接する。可動コア5の大径部22の外周には、軸方向全長に延びる溝が形成され溝部25を構成している。
【００１６】
［作用］
（開閉弁時の燃料の流れ）
電磁コイル9への非通電時には、可動コア5はコイルばね14により固定コア3から離れる方向に付勢され、弁体4は弁座6に着座した状態となる。これにより、弁体4と弁座6との間の燃料の通過が遮断され、燃料噴射孔44からは燃料が噴射されない状態となる。
電磁コイル9への通電時には、電磁コイル9、固定コア3、可動コア5の間に磁界が発生し、可動コア5は固定コア3側に吸引され、コイルばね14の付勢力に抗して固定コア3側に移動する。これにより弁体4が弁座6から離れるため、弁体4と弁座6との間を燃料が通過する。弁体4と弁座6との間を通過した後の燃料は、下流開口部48を中央部に向かう流れとなる。
【００１７】
（閉弁応答性の向上）
電磁コイル9への通電時、可動コア5は固定コア3側に吸引されるが、電磁コイル9へ非通電となっても可動コア5が固定コア3に張り付くことがある。これは可動コア5と固定コア3との間に磁力が残っていること、または可動コア5と固定コア3との間に介在する燃料により吸着力が働いていることなどが原因である。このとき、コイルばね14の付勢力だけでは可動コア5を移動させて弁体4を弁座6の着座させるまでに時間がかかり、閉弁応答性が悪化するおそれがある。
そこで実施例1では、可動コア5の固定コア3と対向する面に凹状の流体受部28を形成した。
図4は可動コア5の軸方向断面図に燃料の流れと燃料による可動コア5へ作用する力を記載した図である。図4では燃料の流れを実線矢印、燃料による可動コア5へ作用する力の方向を一点鎖線矢印で示した。図4では、各矢印を見やすくするためハッチングを施していない。
【００１８】
固定コア3側から流れてきた燃料の流れがテーパ部27に衝突することで、可動コア5には固定コア3から離れる方向に力が作用する。この力によって、可動コア5は固定コア3から離れやすくなり、閉弁応答性を向上させることができる。このとき、可動コア5を径方向外側に押す力も作用するが、この力はテーパ部27の全周に渡って作用するため打ち消される。
実施例1では、さらに流体受部28の断面積を固定コア3と対向する面から奥に向かうに連れて小さくなるように形成し、その側面をテーパ部27とした。これにより、流体受部28および流体受部28に連続して形成されるばね挿入孔24に溜まった燃料が、流体受部28の開口部側に移動しやすくなり、燃料の滞留を抑制することができる。
また実施例1では、可動コア5の外周に固定コア3と対向する面から軸方向に延びる溝部25を形成した。これにより、燃料の流路面積を確保することができ、流路抵抗を小さくすることができる。
【００１９】
［効果］
(1) 外周側に電磁コイル9（コイル）が設けられた固定コア3と、電磁コイル9への通電により固定コア3側に吸引される可動コア5と、可動コア5の先端に固定され、可動コア5が固定コア3側に吸引されたときに、弁座6から離れ開弁する弁体4と、可動コア5を閉弁方向に付勢するコイルばね29（付勢部材）と、可動コア5の固定コア3と対向する面から奥に向かうに連れて断面積が小さくなるように側面がテーパ状に形成された凹部である流体受部28（受け部）と、を設けた。
よって、閉弁応答性を向上させることができる。
(2) 可動コア5の外周に、固定コア3と対向する面から軸方向に延びる溝部25を形成した。
よって、燃料の流路抵抗を小さくすることができる。
【００２０】
〔他の実施例〕
以上、本発明を実施例1に基づいて説明してきたが、各発明の具体的な構成は実施例1に限定されるものではなく、発明の要旨を逸脱しない範囲の設計変更等があっても、本発明に含まれる。
実施例1では、可動コア5の流体受部28の側面をテーパ状に形成していたが、段付き状に形成しても良い。
また実施例1では、可動コア5の大径部22の外周に形成された溝部25により燃料の流路抵抗を小さくしているが、ばね挿入孔24の底部から貫通孔を設けて燃料を流すようにしても良い。図5は可動コア5の軸方向断面図である。図5に示すように、ばね挿入孔24の底部から軸心部に弁体4に向かって穿設された縦方向貫通孔41が形成されている。また、小径部23の外周から縦方向貫通孔41に貫通するように穿設された横方向貫通孔41が形成されている。これにより、燃料の流路抵抗をさらに低減することができる。
【符号の説明】
【００２１】
3     固定コア
4     弁体
5     可動コア
6     弁座
9     電磁コイル（コイル）
28    流体受部（受け部）
29    コイルばね（付勢部材）
【図１】
2015063902.tif 000003
【図２】
2015063902.tif 000004
【図３】
2015063902.tif 000005
【図４】
2015063902.tif 000006
【図５】
2015063902.tif 000007